(57)【要約】【目的】従来考えられた、稍軟質の背骨を反らせ肺を広げる寝具を弾力あり、変形し難い構成にすると共に、その寝具に、上半身をよせかけ、もたれかかり、乗せる乗せもたれ具を利用し易く備えつける。【構成】上面を前後方向中央に高くした通風マット２の上面に乗せた背骨反らせマットレス１と、下面におく硬質マットレス３，合成ゴム板４を、上面で軟質で下層になる程硬質となる夫々板状部を前面から上面へ積み重ね、背骨反らせマットレスの上の胸反らせマット６の左右上縁削り傾斜面１１に乗せ部１３を乗せた左右の乗せもたれ具１２をゴム紐１７で繋ぎ、左右の乗せもたれ具１２を上下移動して使い易くし、胸反らせマット６の上部を枕７の先端の厚さの薄い部へ繋いで、胸反らせマット６の上面を使い易く前後移動する。【選択図】図３
2006116287.tif 000002
【特許請求の範囲】
【請求項１】
軟質の背骨反らせマットレス（１）の下面になる程次第に硬質となる、上面上下方向中央高の通風マット（２），硬質マットレス（３），合成ゴム板（４）を層状に重ね配列する、平面用背骨反らせ寝具（８），傾斜背骨反らせ寝具（９）。
【請求項２】
枕（７）の前端の厚さの薄い部分（３８）に繋いだ胸反らせマット（６）の左右上縁削り傾斜面（１１）に乗せる、左と右の乗せ部（１３，１３’）をゴム紐（１７）で繋ぐ左右の乗せもたれ具（１２，１２’）。
【発明の詳細な説明】
【産業上の利用分野】
【０００１】  寝具
【背景技術】
【０００２】  従来、背骨を反らせる習慣をつけさせるために、中央部の高い稍軟質物体が考えられたが、それを弾力があって変形し難い構成にする事や、上半身を乗せ，もたれかける具を併せ用いて且背骨と共に胸をも、反らせ広げる方法や調整法等については充分考えていない部分があった。
【発明が解決しようとする課題】
【０００３】  背骨を反らせる物体を弾力のある変形し難い構成にする法。
【０００４】  上半身を乗せもたれるマット１２を、背骨反らせマット１と併用する胸反らせマット６と共に利用し易く備付ける方法。
【０００５】  背骨反らせマット１の反らせ具合を調整する方法。
【０００６】  胸反らせマット６の反らせ程度，高さの調整法。
【課題を解決するための手段】
【０００７】  ０００３には、背骨を反らせる寝具の上面から下面までを幾つかの層に分け、最上層では柔かく弾力ある物質の層とし、下層になる程硬質の物質を置く。例えば、最上層に、ウレタンホーム，ビニールホーム等を使用する軟質のマットレス部である背骨反らせマットレス１，その下面に空気部を含む通風マット２，その下に軟質のマットレスより稍硬質の硬質マットレス３（又は同程度硬質のスポンジゴム，縫いぐるみ，綿布等），その下に更に硬質の合成ゴム板４を用い、通風マット２は前後方向中央付近を稍高くする形状とし、他の層（１，３，４）はほぼ前部から後部まで同一厚さ，同一幅の板状層を用いる。
【０００８】  ０００４には、図３，４で、胸反らせマット６の左右上縁の削り傾斜面１１，１１’に乗せ部１３，１３’を乗せた左右の乗せもたれ具１２，１２’夫々のもたれ部１４，１４’（高く盛り上げた小山部）を、背骨反らせマットレス１の上面左右辺に乗せ、左右の乗せ部１３，１３’の下面内側寄りの部をゴム紐１７で繋ぐ。
【０００９】  ０００５には、背骨反らせマットレス１の下面にある通風マット２の位置を前後方向に移動させる。
【００１０】  ０００６には、図５で、胸反らせマット６の前上面２８から後下面２９への切断面１９により分離された後部２７からのゴム紐３９及び前部２６からの紐４０を、枕７の前部の厚さを薄くした部分３８へ繋ぐ（図３）
【作用】
【００１１】  ０００７について、最上層の背骨反らせマット１，硬質マットレス等の層３は共に気泡部が多くて弾力があり、通風マット２では前後方向中央に盛り上がりを設けるために上下面の畳表（又は下面は布）の内部に、スポンジゴム，気泡つきシート（市販のポリエチレン製ラップメイトの折畳部）を挟み入れておくと弾力を増し、利用者の上半身の重力は、下層になる程、沈下速度が遅くなり、最下層の合成ゴム板層４に当って稍はね返る感じとなり、適度のクッション的な感じとなるが、登録新案の稍軟質物体でその下面に下マットがあるだけでは弾力不足で、且荷重により上面に凹みが出来ると元へ戻り難いが、弾力部の多い四層構造では各弾力部毎に上へはね返す力があるので、そのような凹み変形を生じ難く使用耐用年数を永くし得る。尚利用者の下面の皮膚が接する部も弾力の多い背骨反らせマットレス１の方が熱と汗によるべとつきが少く、蒸れが少く、通風マット２があればその効果は更に増し、安眠し易い。
尚、背骨反らせマットレス１、硬質マットレス等の層３，合成ゴム板層４は夫々前部から後部まで同一厚さ、同一幅の板状にすると工程簡易で量産し易い。
【００１２】  ０００８について、図３，４で、左右の乗せもたれ具１２の上部が胸反らせマット６の上部横にあると、胸反らせマット６上部に肩を乗せる利用者の上腕から肘部を横に下げ（胸を広げ呼吸を大きくする）難いので、左右の乗せもたれ具１２を、図３で、前下方に下げた位置におき、利用者が横向きになり背中や横腹を乗せもたれ具１２に乗せかけ，もたれかかる必要がある時（腰痛や床ずれのある病人又は睡眠中の寝返り等）には、矢印２５の方向へ移動させ、元へ戻す必要のある時は矢印２５を逆に下げ、その上下移動時乗せもたれ具１２が左右外側にずれ落ちないようにゴム紐１７で繋いでおく。又胸反らせマット６の左右上縁削り傾斜面１１には乗せもたれ具１２の乗せ部１３を乗せ、小山状に高く成型したもたれ部１４を背骨反らせマット１の上面左右端部に乗せおくため胸反らせマット６の左右幅は狭く且両腕を左右に広げて下げ易くするために胸反らせマット６の左右上縁は削り傾斜面１１としてある。（図４）
【００１３】  ０００９について、通風マット２を、背骨反らせマットレス１の下面で後上方へ移動すると、利用者の胸から肩部の下面が高くなり、胸を大きく反らし且両腕を横に広げて深呼吸し易くなり、前下方へずらし下げると利用者の腹部付近の背骨を反らし易くなり、尚身長の短い人，小人には胸付近を反らし広げる事になり、大小人が共用し得る。
【００１４】  ００１０について、胸反らせマット６を切断面１９により前部２６と後部２７に分離すると、図６で後部２７を前部２７の上面に重ねて、胸反らせマット６の上面が高くなり、胸を大きく反らして呼吸を大きくして睡眠しながら疲労回復を早め得るが、胸を反らしすぎて背骨、肩等に疲れを感じたら図７で後部２７を後方へ移動すると胸反らせマット６上面が低くなり胸の反らし加減を調整し得る、尚後部２７からのゴム紐３９と前部２６からの紐４０は枕７の後方への落下を防ぎ、ゴム紐３９は図６で後部２７の前上部と前部２６上面との重なり部の長さを若干調整し得る。尚胸反らせマット６を前部２６と後部２７とに分離しない場合に、枕７の前端の厚さの薄い部分３８を、図１では矢印３３方向の点線３６の位置へ、図２では矢印３４方向の点線３７へ夫々移動して、胸反らせマット６の反らせ程度，高さ等を調整し得る。
【実施例】
【００１５】  図１で、水平面上に使用する背骨反らせ寝具８の最上層の背骨反らせマット１は、通風マット２の上部付近で曲げ反らした面とし、その下面にそれより硬質のマットレス（又はスポンジゴム等）の層３と、更に硬質の合成ゴム板４の層を、後方へ水平に重ねて配列する。【００１６】  図２では、通風マット２の上部付近で曲げ下げた背骨反らせマット１の前部の後方に硬質マットレスの層３，合成ゴム板４を、斜方向に配列してから夫々の上部を水平方向後方に曲げ反らして上半身の傾斜背骨反らせ寝具９とすると、小型で狭い空間に置き得、ベット兼用、休息用にもなる寝具となる。【００１７】  図１の平面用背骨反らせ寝具８と、図２の傾斜背骨寝具９とは夫々積み重ねた各層（１，２，３，４）の後部と前部に近い部を縦糸等で繋いだ上面と下面までを包み布（図面省略）で囲い左右側面は、通風マット２位置調整のために開けて置き、胸反らせマット６，乗せもたれ具１２，枕７はその上面に置く。【００１８】  図３で、背骨反らせマット１の前下部に、床ずれ，腰骨下端付近痛の予防，緩和用の当て布（綿，綿布，軟質合成樹脂等）２２を取付けておく場合を示す。【００１９】  胸反らせマット６は稍軟質のウレタンホーム，スポンジゴム，縫いぐるみ等で上面前後方向中央高に成型し、左右上縁削り傾斜面１１は前端と後端で夫々削り部の小さい傾斜面で低い位置での傾斜面となる。（図４，３）【００２０】  乗せもたれ具１２は、小山状のもたれ部１４を縫いぐるみ，スポンジゴム等で成型した内側側面へ軟質の合成樹脂製の乗せ部１３を取付ける。
【発明の効果】
【００２１】  平面用背骨反らせ寝具８，傾斜背骨反らせ寝具９は共に、最上層の軟質層（１）から最下層の合成ゴム板層４まで次第に硬質となるので弾力を生じ易く変形し難いと共に、通風マット２（上面中央高）により背骨を反らし易くした背骨反らせマットレス１の下又は斜後面に他の層（３，４）を重ね、平面上又は腰から上だけの小型の傾斜面の寝具として睡眠，休息し得る。
【００２２】  胸反らせマット６は、左右上縁削り傾斜面１１に乗せ部１３を置く左右の乗せもたれ具１２と１２’をゴム紐１７で繋いで、上下移動して使用し易くし、且、上部に繋ぐ枕７の位置を移動して、胸と首の反らせ具合を調節する。
【図面の簡単な説明】
【図１】平面用背骨反らせ寝具８の側面図。
【図２】傾斜背骨反らせ寝具９の側面図。
【図３】図２の斜視図
【図４】図３のＡ−Ａ線断面図
【図５】図３のＢ−Ｂ線断面をほぼ２倍に拡大する断面図。
【図６】図５の胸反らせマット６の前部に後部を重ねる場合の断面側面図。
【図７】図５の後部２７を後方へ移動する側面断面図。
【符号の説明】
１−−−−背骨反らせマットレス（軟質）
２−−−−通風マット
３−−−−（１より硬質の）硬質マットレス
４−−−−合成ゴム板
６−−−−胸反らせマット
７−−−−枕
８−−−−平面用背骨反らせ寝具
９−−−−傾斜背骨反らせ寝具
１１，１１’−−−（６の）左右上縁削り傾斜面
１２，１２’−−−（左と右の）乗せもたれ具
１３，１３’−−−（１２の）左右の乗せ部
１４，１４’−−−（１２の）左右のもたれ部
１７−−−（１２と１２’を繋ぐ）ゴム紐
１９−−−（６の）切断面（２６と２７に分離する）
２２−−−当て布
２５−−−（１２，１２’の上方への移動方向）矢印
２６，２７−−−（１９の）前部，後部
２８，２９−−−（１９の）前端，後端
３８−−−（７前端の）厚さの薄い部
３６，３７−−−（７の前方への）移動位置（点線）
３９−−−（２７と３８を繋ぐ）ゴム紐
４０−−−（２６と３８を繋ぐ）紐
【図１】
2006116287.tif 000003
【図２】
2006116287.tif 000004
【図３】
2006116287.tif 000005
【図４】
2006116287.tif 000006
【図５】
2006116287.tif 000007
【図６】
2006116287.tif 000008
【図７】
2006116287.tif 000009